【手続補正書】
【提出日】平成18年6月28日(2006.6.28)
【手続補正１】
【補正対象書類名】明細書
【補正対象項目名】発明の名称
【補正方法】変更
【補正の内容】
【発明の名称】画像処理装置及び画像処理方法と記憶媒体
【手続補正２】
【補正対象書類名】明細書
【補正対象項目名】特許請求の範囲
【補正方法】変更
【補正の内容】
【特許請求の範囲】
【請求項１】
第１実テーブルと第２実テーブル、及びモードに対応する第１実テーブルと第２実テーブルとを特定する検索テーブルを含むデータベースファイルと、
前記検索テーブルを検索してモードに対応する第１実テーブルと第２実テーブルとを前記データベースからロードし、ロードした第１実テーブルと第２実テーブルを用いて印刷する画像データに対して第１処理及び第２処理を実行する実行モジュールとを有することを特徴とする画像処理装置。
【請求項２】
前記第１実テーブルと第２実テーブルは、色補正テーブルと色変換テーブルを含み、
前記実行モジュールは、モードに対応する色補正テーブルと色変換テーブルをデータベースファイルからロードし、ロードされた色補正テーブルと色変換テーブルを用いて印刷する画像データに対して色補正及び色変換処理を行うことを特徴とする請求項１記載の画像処理装置。
【請求項３】
前記第１実テーブルと第２実テーブルは、階調補正テーブルと量子化テーブルを含み、
前記実行モジュールは、モードに対応する階調補正テーブルと量子化テーブルをデータベースファイルからロードし、ロードされた階調補正テーブルと量子化テーブルを用いて印刷する画像データに対して階調補正及び量子化処理を行うことを特徴とする請求項１、または２記載の画像処理装置。
【請求項４】
前記実行モジュールによる処理の実行後、プリンタが解釈可能な形式のデータに変換する変換手段を有することを特徴とする請求項１乃至３いずれか記載の画像処理装置。
【請求項５】
前記テーブルから保守対象の実テーブルをロードし、ロードされた実テーブルを更新し、更新された実テーブルに基づき前記データベースを更新する更新手段を有することを特徴とする請求項１記載の画像処理装置。
【請求項６】
第１実テーブルと第２実テーブル、及びモードに対応する第１実テーブルと第２実テーブルとを特定する検索テーブルを含むデータベースファイルを有する画像処理装置における画像処理方法であって、
前記検索テーブルを検索してモードに対応する第１実テーブルと第２実テーブルとを前記データベースからロードし、ロードした第１実テーブルと第２実テーブルを用いて印刷する画像データに対して第１処理及び第２処理を実行することを特徴とする画像処理方法。
【請求項７】
前記第１実テーブルと第２実テーブルは、色補正テーブルと色変換テーブルを含み、
前記実行モジュールは、モードに対応する色補正テーブルと色変換テーブルをデータベースファイルからロードし、ロードされた色補正テーブルと色変換テーブルを用いて印刷する画像データに対して色補正及び色変換処理を行うことを特徴とする請求項６記載の画像処理方法。
【請求項８】
前記第１実テーブルと第２実テーブルは、階調補正テーブルと量子化テーブルを含み、
前記実行モジュールは、モードに対応する階調補正テーブルと量子化テーブルをデータベースファイルからロードし、ロードされた階調補正テーブルと量子化テーブルを用いて印刷する画像データに対して階調補正及び量子化処理を行うことを特徴とする請求項６、または７記載の画像処理方法。
【請求項９】
前記実行モジュールによる処理の実行後、プリンタが解釈可能な形式のデータに変換することを特徴とする請求項６乃至８いずれか記載の画像処理方法。
【請求項１０】
前記テーブルから保守対象の実テーブルをロードし、ロードされた実テーブルを更新し、更新された実テーブルに基づき前記データベースを更新することを特徴とする請求項６記載の画像処理方法。
【請求項１１】
第１実テーブルと第２実テーブル、及びモードに対応する第１実テーブルと第２実テーブルとを特定する検索テーブルを含むデータベースファイルを有するコンピュータで実行されるプログラムを記憶したコンピュータ可読記憶媒体であって、
前記検索テーブルを検索してモードに対応する第１実テーブルと第２実テーブルとを前記データベースからロードし、ロードした第１実テーブルと第２実テーブルを用いて印刷する画像データに対して第１処理及び第２処理をコンピュータに実行させるプログラムを記憶したことを特徴とする記憶媒体。
【請求項１２】
前記第１実テーブルと第２実テーブルは、色補正テーブルと色変換テーブルを含み、
前記実行モジュールは、モードに対応する色補正テーブルと色変換テーブルをデータベースファイルからロードし、ロードされた色補正テーブルと色変換テーブルを用いて印刷する画像データに対して色補正及び色変換処理を行うことを特徴とする請求項１１記載の記憶媒体。
【請求項１３】
前記第１実テーブルと第２実テーブルは、階調補正テーブルと量子化テーブルを含み、
前記実行モジュールは、モードに対応する階調補正テーブルと量子化テーブルをデータベースファイルからロードし、ロードされた階調補正テーブルと量子化テーブルを用いて印刷する画像データに対して階調補正及び量子化処理を行うことを特徴とする請求項１１、または１２記載の記憶媒体。
【請求項１４】
前記プログラムは、コンピュータに前記実行モジュールによる処理の実行後、プリンタが解釈可能な形式のデータに変換させることを特徴とする請求項１１乃至１３いずれか記載の記憶媒体。
【請求項１５】
前記プログラムは、コンピュータに前記テーブルから保守対象の実テーブルをロードし、ロードされた実テーブルを更新し、更新された実テーブルに基づき前記データベースを更新させることを特徴とする請求項１１記載の記憶媒体。
【手続補正３】
【補正対象書類名】明細書
【補正対象項目名】０００８
【補正方法】変更
【補正の内容】
【０００８】
【課題を解決するための手段】
上記目的を達成するため、本発明は以下の構成からなる。すなわち、第１実テーブルと第２実テーブル、及びモードに対応する第１実テーブルと第２実テーブルとを特定する検索テーブルを含むデータベースファイルと、前記検索テーブルを検索してモードに対応する第１実テーブルと第２実テーブルとを前記データベースからロードし、ロードした第１実テーブルと第２実テーブルを用いて印刷する画像データに対して第１処理及び第２処理を実行する実行モジュールとを有することを特徴とする画像処理装置。
【手続補正４】
【補正対象書類名】明細書
【補正対象項目名】０００９
【補正方法】削除
【補正の内容】
【手続補正５】
【補正対象書類名】明細書
【補正対象項目名】００１０
【補正方法】削除
【補正の内容】
【手続補正６】
【補正対象書類名】明細書
【補正対象項目名】００１１
【補正方法】削除
【補正の内容】
【手続補正７】
【補正対象書類名】明細書
【補正対象項目名】００１２
【補正方法】削除
【補正の内容】
【手続補正８】
【補正対象書類名】明細書
【補正対象項目名】００１３
【補正方法】削除
【補正の内容】
【手続補正９】
【補正対象書類名】明細書
【補正対象項目名】００１８
【補正方法】変更
【補正の内容】
【００１８】
図１において、制御装置２０１はＣＰＵを有し、後述の画像処理およびそのための初期処理等、本システムに関するデータ処理や各部機械的要素の動作制御を実行する。記憶装置２０３は、ＲＯＭ，ＲＡＭ等のメモリやハードディスク、さらにフレキシブルディスク等の外部記憶装置の全体からなるものであり、本発明の一実施形態に関して後述されるルックアップテーブルを含むデータベースや計算区分が格納される。